(57)【特許請求の範囲】
【請求項１】
湯を貯える貯湯タンクと、
前記貯湯タンクの上部を覆う上部断熱材と、前記貯湯タンクの胴体部分を覆う中部断熱材と、前記貯湯タンクの下部を覆う下部断熱材とを含み、前記貯湯タンクの周囲を覆う成形発泡断熱材と、
前記貯湯タンクの上部に配設され、前記貯湯タンク内の湯の圧力を逃がす際に開く圧力逃がし弁と、
前記上部断熱材、前記中部断熱材、および前記下部断熱材を連通するように形成され、前記圧力逃がし弁からの排水が流れる排水通路と、
一端が前記圧力逃がし弁の排水部に接続され、他端が前記上部断熱材に形成された前記排水通路内に位置するように取り付けられた排水配管と、
を備え、
前記上部断熱材における前記排水通路の通路幅は、前記排水配管の外径よりも大きな寸法となるように構成されていることを特徴とする貯湯式給湯機。
【請求項２】
前記貯湯式給湯機は、前記貯湯タンクよりも下方に、前記圧力逃がし弁からの排水を受けるドレンパンを更に備え、
前記圧力逃がし弁からの排水が前記排水通路を通って前記ドレンパンに導かれるように構成されていることを特徴とする請求項１記載の貯湯式給湯機。
【請求項３】
前記圧力逃がし弁からの排水が前記排水通路を通って前記貯湯タンクの下方から外部に排出されるように構成されていることを特徴とする請求項１記載の貯湯式給湯機。
【請求項４】
前記上部断熱材と前記中部断熱材との間での前記排水通路の合わせ部分、および前記中部断熱材と前記下部断熱材との間での前記排水通路の合わせ部分のうちの少なくとも一方において、上側となる断熱材の排水通路断面が下側となる断熱材の排水通路断面内に収まるように、前記排水通路の寸法が規定されていることを特徴とする請求項２または３記載の貯湯式給湯機。
【請求項５】
前記上部断熱材に形成された前記排水通路の上端部が、上端側に広がるラッパ形状になっていることを特徴とする請求項２〜４のいずれかに記載の貯湯式給湯機。
【請求項６】
前記上部断熱材に形成された前記排水通路の上端部に、前記排水配管を接続するための接続部が設けられていることを特徴とする請求項２〜５のいずれかに記載の貯湯式給湯機。
【請求項７】
前記圧力逃がし弁の前記排水部が、前記上部断熱材に形成された前記排水通路の上端部の直上に配置されていることを特徴とする請求項２〜５のいずれかに記載の貯湯式給湯機。
【請求項８】
前記排水通路は、その周囲の断熱材と別部品で形成されていることを特徴とする請求項１〜７のいずれかに記載の貯湯式給湯機。
【発明の詳細な説明】
【技術分野】
【０００１】
この発明は、貯湯タンクを備える貯湯式給湯機に関する。
【背景技術】
【０００２】
従来の貯湯式給湯機は、貯湯タンク（貯湯缶体）と、当該貯湯タンクの周囲を覆う複数の成形断熱材とを備えている。この従来の成形断熱材には、貯湯タンクに接続された配管を収めるための配管用溝部が設けられている（例えば、特許文献１参照）。
【先行技術文献】
【特許文献】
【０００３】
【特許文献１】特開２００２−３１０５１１号公報
【発明の概要】
【発明が解決しようとする課題】
【０００４】
しかしながら、上述した従来の貯湯式給湯機では、上方に配置された構成部品から排出される流体を、貯湯タンクよりも下方に設けられるドレンパンに導いたり若しくは貯湯タンクの下方から外部に導いたりするためには、給湯機と同等長さの配管（例えば、ゴムホースや銅パイプ）が必要となる。このため、配管の長さが長くなってしまい、配管の引き回し、固定、組立等が困難となるという問題点があった。また、そのような配管を備える構成では、部品点数などの削減も難しく、不経済という問題点もあった。
【０００５】
この発明は、上述のような課題を解決するためになされたもので、簡単な構成を用いて貯湯式給湯機の構成部品から排出される流体の経路を構成することのできる貯湯式給湯機を提供することを目的とする。
【課題を解決するための手段】
【０００６】
この発明に係る貯湯式給湯機は、湯を貯える貯湯タンクと、貯湯タンクの上部を覆う上部断熱材と、貯湯タンクの胴体部分を覆う中部断熱材と、貯湯タンクの下部を覆う下部断熱材とを含み、貯湯タンクの周囲を覆う成形発泡断熱材と、貯湯タンクの上部に配設され、貯湯タンク内の湯の圧力を逃がす際に開く圧力逃がし弁と、上部断熱材、中部断熱材、および下部断熱材を連通するように形成され、圧力逃がし弁からの排水が流れる排水通路と、一端が圧力逃がし弁の排水部に接続され、他端が上部断熱材に形成された排水通路内に位置するように取り付けられた排水配管と、を備え、上部断熱材における排水通路の通路幅は、排水配管の外径よりも大きな寸法となるように構成されているものである。
【発明の効果】
【０００７】
この発明によれば、簡単な構成を用いて貯湯式給湯機の構成部品から排出される流体の経路を構成することができる。
【図面の簡単な説明】
【０００８】
【図１】本発明の実施の形態１に係る貯湯式給湯機の正面図（Ａ）、側面図（Ｂ）、および分解斜視図（Ｃ）である。
【図２】本発明の実施の形態１に係る貯湯式給湯機の発泡断熱材の排水通路中を示す平面図（Ａ）、正面図（Ｂ）、および、貯湯式給湯機１０を図２（Ａ）中の切断線Ｘ−Ｘで切断した断面図（Ｃ）である。
【図３】本発明の実施の形態１に係る貯湯式給湯機の発泡断熱材の排水通路を示す斜視図である。
【図４】本発明の実施の形態１に係る貯湯式給湯機の発泡断熱材の分解斜視図である。
【図５】本発明の実施の形態１に係る、排水通路の合わせ部分を示す概略図（Ａ）、および排水通路の上端側の端部受け部形状を示す概略図（Ｂ）である。
【図６】本発明の実施の形態１の変形例における中部断熱材（左側部断熱材）が備える流体通路構成用断熱材の構成を示す平面図（Ａ）および側面図（Ｂ）である。
【発明を実施するための形態】
【０００９】
実施の形態１．
図１は、本発明の実施の形態１に係る貯湯式給湯機の正面図（Ａ）、側面図（Ｂ）、および分解斜視図（Ｃ）である。より具体的には、図１（Ｃ）は、貯湯タンク、外装ケース、および発泡断熱材の構成を示している。
【００１０】
図１中の各図に示すように、貯湯式給湯機１０は、外装ケース１内に、図示省略する加熱手段により沸き上げられる湯を貯える貯湯タンク２を備えている。貯湯タンク２の周囲（外周）は、成形発泡断熱材３によって覆われている。成形発泡断熱材３としては、例えば、発泡ポリスチレンを用いることができる。
【００１１】
外装ケース１は、前面ケース１ａ、側面ケース(右)１ｂ、側面ケース(左)１ｃ、背面ケース１ｄ、上面ケース１ｅ、および底面ケース１ｆによって構成されている。貯湯タンク２よりも下方に配置された底面ケース１ｆは、貯湯式給湯機１０の構成部品からの排水を受けるドレンパンとしても機能するものである。底面ケース１ｆには、給湯機本体外部に通ずる排水口１ｇと、底面ケース１ｆ上で集められた水を排出するドレン排水口１ｈとが設けられている。
【００１２】
図２は、本発明の実施の形態１に係る貯湯式給湯機の発泡断熱材の排水通路を示す平面図（Ａ）、正面図（Ｂ）、および、貯湯式給湯機１０を図２（Ａ）中の切断線Ｘ−Ｘで切断した断面図（Ｃ）である。図３は、本発明の実施の形態１に係る貯湯式給湯機の発泡断熱材の排水通路を示す斜視図である。図４は、本発明の実施の形態１に係る貯湯式給湯機の発泡断熱材の分解斜視図である。
【００１３】
図１〜４に示すように、成形発泡断熱材３は、貯湯タンク２の上部を覆う上部断熱材３ａと、貯湯タンク２の胴体部分を覆う中部断熱材（左側部断熱材３ｂと右側部断熱材３ｃ）と、貯湯タンク２の下部を覆う下部断熱材３ｄとにより構成されている。成形発泡断熱材３には、上部断熱材３ａ、左側部断熱材３ｂ、および下部断熱材３ｄを連通するように排水通路４が形成されている。
【００１４】
貯湯タンク２の上部には、貯湯式給湯機１０の構成部品５が配設されている。このような構成部品５としては、例えば、貯湯タンク２内の湯の圧力が所定値以上である時に開くように設定された圧力逃がし弁が相当する。このような圧力逃がし弁５が規定通りに開くと、貯湯タンク２内から湯が排水されるので、貯湯タンク２内の圧力を下げることができる。また、圧力逃がし弁５に異常が生じた場合（例えば、異物等の混入により圧力逃がし弁５が開いた状態で保持された状態となった場合）にも、圧力逃がし弁５を介して貯湯タンク２内の湯が排出されるようになる。
【００１５】
上記排水通路４は、上記構成部品（圧力逃がし弁）５が規定通りに作動した場合若しくは上記異常が生じた場合に当該構成部品５から排出される水が流れる通路として構成されている。排水通路４は、上部断熱材３ａに形成された排水通路上部４ａと、左側部断熱材３ｂの内部に中空状に形成された排水通路中部４ｂと、下部断熱材３ｄに中空状に形成された排水通路下部４ｃとにより構成されている。このような構成により、上記構成部品５からの排水が排水通路４（４ａ、４ｂ、４ｃ）を通って、ドレンパンとして機能する底面ケース１ｆ上に導かれるようになっている。底面ケース１ｆ上に集められた上記排水は、ドレン排水口１ｈを介して排出されるようになっている。尚、このようなドレン排水口１ｈを介して排出されるものに限らず、例えば、上記構成部品５からの排水が排水通路４を通った後に、外部に通ずる排水口１ｇを介して、ドレンパンを介さずに貯湯タンク２の下方から外部に排出されるように構成されたものであってもよい。
【００１６】
また、上記構成部品５からの排水が底面ケース１ｆに設けられたドレン排水口１ｈに導かれるようにするため、上記構成部品５の排水ドレン部（排水口）５ａには、図２（Ｂ）に示すように、排水配管６の一端が接続されている。排水配管６の他端は、上部断熱材３ａに形成された排水通路上部４ａ内に位置するように取り付けられている。
【００１７】
図５は、本発明の実施の形態１に係る、排水通路の合わせ部分を示す概略図（Ａ）、および排水通路の上端側の端部受け部形状を示す概略図（Ｂ）である。図５（Ａ）に示すように、上部断熱材３ａにおける排水通路上部４ａの通路幅は、排水配管６の外径よりも大きな寸法となるように形成されている。これにより、上記構成部品５の排水ドレン部５ａから排水配管６を容易に導けるようになる。
【００１８】
また、図５（Ａ）に示すように、上部断熱材３ａと左側部断熱材３ｂとの間での排水通路上部４ａと排水通路中部４ｂの合わせ部分において、上側となる上部断熱材３ａの排水通路上部４ａの流路断面が、下側となる左側部断熱材３ｂの排水通路中部４ｂの流路断面内に収まるように、両排水通路４ａ、４ｂの寸法が規定されている。更に、左側部断熱材３ｂと下部断熱材３ｄとの間での排水通路中部４ｂと排水通路下部４ｃの合わせ部分において、上側となる左側部断熱材３ｂの排水通路中部４ｂの流路断面が、下側となる下部断熱材３ｄの排水通路下部４ｃの流路断面内に収まるように、両排水通路４ｂ、４ｃの寸法が規定されている。このような構成によれば、貯湯タンク２の上部から貯湯タンク２の下方に向けて排水を確実に導くことが可能となる。
【００１９】
更に、図５（Ｂ）に示すように、上部断熱材３ａに形成された排水通路上部４ａの上端部が、上端側に広がるラッパ形状となるように形成されている。このような構成によれば、排水通路上部４ａに対して排水配管６からの排水をより容易に導くことが可能となる。
【００２０】
以上説明したように、本実施形態の貯湯式給湯機１０は、成形発泡断熱材３における上部断熱材３ａ、中部断熱材（左側部断熱材３ｂ）、および下部断熱材３ｄを連通するように形成された排水通路４を備え、貯湯タンク２の上部（給湯機本体上部）に設置された構成部品５の排水ドレン部５ａから排水通路上部４ａに排水配管６を導く構成を備えている。このような構成によれば、排水配管としては上記排水配管６を備えておくだけでよくなる。このため、給湯機本体上部に設置された構成部品のドレン部から給湯機本体下部まで排水配管を利用して排水を導くようにしていた従来の構成と比べ、排水経路の配管の短尺化が可能となる。また、排水経路を構成するために、給湯機上部から下部に至るまで発泡断熱材で覆われた貯湯タンクの外周に排水配管を引き回す必要がなくなり、組立作業性が容易となり、また部品コストの削減も可能となる。
【００２１】
ところで、上述した実施の形態１においては、成形発泡断熱材３の中部断熱材（左側部断熱材３ｂ）に対して直に形成された中空状の排水通路中部４ｂを備えるようにしている。しかしながら、本発明における流体通路（排水通路）の構成は、これに限定されるものではなく、例えば、以下の図６に示すような構成であってもよい。図６は、本発明の実施の形態１の変形例における中部断熱材（左側部断熱材）が備える流体通路構成用断熱材の構成を示す平面図（Ａ）および側面図（Ｂ）である。
【００２２】
図６に示す中部断熱材（左側部断熱材）７には、中空状の排水通路は形成されておらず、その代わりに、中部断熱材７の内周には、当該中部断熱材７の上端から下端に及ぶように溝状の切欠部７ａが形成されている。そして、当該切欠部７ａには、内部に中空状の排水通路中部４ｂが形成されるように流体通路構成用断熱材８が嵌め込まれている。このように、本発明における流体通路は、その周囲の断熱材（中部断熱材に限らない）と別部品で形成されたものであってもよい。また、このような図６に示す構成によれば、中部断熱材７の成形加工性を容易にすることができる。また、上述の構成を上部や下部の断熱材へ適用することもできる。
【００２３】
また、排水通路上部４ａの上端部、或いは排水通路下部４ｃの下端部に、排水配管６などの配管を接続するための接続部（図示省略）を備えるようにしてもよい。これにより、排水配管６などの接続を容易にすることができる。
【００２４】
また、貯湯タンク２の上部に配置された上記構成部品５の排水ドレン部５ａを、上部断熱材３ａに形成された排水通路上部４ａの上端部の直上に配置するようにしてもよい。このような構成によって、上記排水ドレン部５ａを排水通路上部４ａの上端部に直接導けるようにすることで、排水配管６を廃止することが可能となる。また、同様に下部断熱材３ｄの排水通路下部４ｃの排水口を排水口１ｇの上になるように構成し、排水を排水口１ｇに直接排水するように構成してもよい。
【符号の説明】
【００２５】
１  外装ケース
１ｆ  底面ケース（ドレンパン）
１ｇ  排水口
１ｈ  ドレン排水口
２  貯湯タンク
３  成形発泡断熱材
３ａ  上部断熱材
３ｂ  左側部断熱材（中部断熱材）
３ｃ  右側部断熱材（中部断熱材）
３ｄ  下部断熱材
４  排水通路
４ａ  排水通路上部
４ｂ  排水通路中部
４ｃ  排水通路下部
５  構成部品（圧力逃がし弁）
５ａ  排水ドレン部
６  排水配管
７  中部断熱材
７ａ  切欠部
８  流体通路構成用断熱材
１０  貯湯式給湯機
【図１】
0005423344.tif 000002
【図２】
0005423344.tif 000003
【図３】
0005423344.tif 000004
【図４】
0005423344.tif 000005
【図５】
0005423344.tif 000006
【図６】
0005423344.tif 000007